(57)【要約】【課題】コンパクトに折畳可能で、軽量かつバランスに優れた幼児用椅子を提供する。【解決手段】対向する脚柱１の上部間に背板２を、中間部間に座板３及び足載板４をそれぞれ架設し、座板３の上方にテーブル５を跳ね除け自在に設け、座板３からの幼児のずり落ちを防ぐガード部材６を備えた幼児用椅子において、脚柱１の中間部に下方へ向けて後脚７を開閉自在に連結し、脚柱１と後脚７を所定の角度に開いてロックする機構を備え、座板３及び足載板４の下面に支持金具１８を、脚柱１の内面にガイド溝１９ｂを有するねじ穴プレート１９をそれぞれ取り付け、ノブねじ２０のねじ軸を、ガイド溝１９ｂに係合する回転止めプレート２２及び支持金具１８の貫穴を介しねじ穴プレート１９のねじ穴１９ａにねじ込んで、座板３及び足載板４を適宜の高さに固定し、両脚柱１に跳ね除け自在に連結したガード部材６でテーブル５を支持するようにする。【選択図】図１
2006110157.tif 000002
【特許請求の範囲】
【請求項１】
対向する脚柱の上部間に背板を、中間部間に座板及び足載板をそれぞれ架設し、座板の上方にテーブルを跳ね除け自在に設け、座板からの幼児のずり落ちを防ぐガード部材を備えた幼児用椅子において、脚柱の中間部に下方へ向けて後脚を開閉自在に連結し、脚柱と後脚を所定の角度に開いてロックする機構を備え、座板及び足載板の下面に支持金具を、脚柱の内面にねじ穴プレートをそれぞれ取り付け、ねじ穴プレートにガイド溝を形成し、ノブねじのねじ軸を、ガイド溝に係合する回転止めプレート及び支持金具の貫穴を介しねじ穴プレートのねじ穴にねじ込んで、座板及び足載板を適宜の高さに固定し、両脚柱にガード部材を跳ね除け自在に連結して、ガード部材でテーブルを支持するようにしたことを特徴とする幼児用椅子。
【発明の詳細な説明】
【技術分野】
【０００１】
この発明は、幼児期の子供が食事等に際して使用する幼児用椅子に関するものである。
【背景技術】
【０００２】
例えば、下記特許文献１には、対向するＬ字状の脚柱の上部間に背板を設けると共に、中間部間に座板及び足載板をそれぞれ前後方向の溝に差し込むようにして架設し、座板の上方にテーブルを後方へ跳ね除け自在に設け、このテーブルを水平に保持するストッパ片を脚柱上部に設け、座板の前部に幼児のずり落ちを防ぐＴ字状のガード部材を立設した幼児用椅子が記載されている。
【特許文献１】登録実用新案第３０９８５４０号公報
【発明の開示】
【発明が解決しようとする課題】
【０００３】
しかしながら、上記のような椅子では、使用しないで保管しておくとき、コンパクトに折り畳むことができないことから、大きな保管スペースを要するという問題があるほか、テーブルを水平に保持するストッパ片を設けるため、脚柱の上部を特に太くする必要があり、重くなるだけでなく、バランスも悪くなるという問題がある。
【０００４】
そこで、この発明は、コンパクトに折り畳むことができ、軽量でバランスに優れた幼児用椅子を提供することを課題とする。
【課題を解決するための手段】
【０００５】
上記課題を解決するため、この発明では、対向する脚柱の上部間に背板を、中間部間に座板及び足載板をそれぞれ架設し、座板の上方にテーブルを跳ね除け自在に設け、座板からの幼児のずり落ちを防ぐガード部材を備えた幼児用椅子において、脚柱の中間部に下方へ向けて後脚を開閉自在に連結し、脚柱と後脚を所定の角度に開いてロックする機構を備え、座板及び足載板の下面に支持金具を、脚柱の内面にねじ穴プレートをそれぞれ取り付け、ねじ穴プレートにガイド溝を形成し、ノブねじのねじ軸を、ガイド溝に係合する回転止めプレート及び支持金具の貫穴を介しねじ穴プレートのねじ穴にねじ込んで、座板及び足載板を適宜の高さに固定し、両脚柱にガード部材を跳ね除け自在に連結して、ガード部材でテーブルを支持するようにしたのである。
【発明の効果】
【０００６】
この幼児用椅子は、脚柱と後脚をロックを解除して閉じ、ノブねじを緩めて回転止めプレートとガイド溝の係合を解除して、座板及び足載板を下方へ回動させ、テーブル及びガード部材を跳ね除け又は取り外すことにより、コンパクトに折り畳むことができるので、保管時に嵩張ることがない。また、テーブルをガード部材で支持するので、脚柱の上部を太くする必要がなく、軽量でバランスの取れた構造とすることができる。
【発明を実施するための最良の形態】
【０００７】
以下、この発明の実施形態を添付図面に基づいて説明する。
【０００８】
図１及び図２に示すように、この幼児用椅子は、一対の脚柱１の上部間に背板２を、中間部間に座板３及び足載板４をそれぞれ架設し、座板３の上方にテーブル５を後方へ跳ね除け自在に設け、座板３からの幼児のずり落ちを防ぐガード部材６を備え、脚柱１の下端部間を連結棒１ａで連結し、脚柱１の中間部に、下方へ向けて後脚７を開閉自在に連結したものとされている。ガード部材６及び後脚７は、それぞれ後部及び上部が開いた枠状のアルミパイプとされ、他の主要部材は木製とされている。
【０００９】
脚柱１と後脚７の連結部においては、図３乃至図５に示すように、脚柱１にベースパーツ８がビスで固定され、ベースパーツ８の基部には、ロックリング９がスプラインにより回り止めされて軸方向に移動自在に嵌められている。ロックリング９は、スプリング１０によりペースパーツ８から離反する方向に付勢され、ロックリング９の外面には４個の爪１１が形成されている。
【００１０】
後脚７の上端には、エルボパーツ１２が挿入されてリベットで固着され、エルボパーツ１２は、ベースパーツ８に回動自在に嵌められて、リングワッシャ１３及びスプリングワッシャ１４を挟んでビス１５で抜け止めされている。エルボパーツ１２の一端には、爪１１に係合する切欠部１６が形成され、エルボパーツ１２の外側には、ロックリング９と一体に軸方向に移動するキャップ１７が他端側から嵌められている。
【００１１】
この連結部では、図５に示すように、爪１１と切欠部１６とが係合しているとき、脚柱１と後脚７の開閉が阻止されたロック状態となる。また、図６に示すように、キャップ１７を押し込むと、ロックリング９も押し込まれ、爪１１と切欠部１６の係合が外れて、べースパーツ８に対しエルボパーツ１２の回動が許容されるロック解除状態となり、図１５に示すように、脚柱１に対し後脚７を閉じることができる。
【００１２】
次に、座板３及び足載板４の支持部においては、図２及び図７に示すように、座板３及び足載板４の下部に支持金具１８が、脚柱１の内面にねじ穴プレート１９がそれぞれ取り付けられている。Ｌ字状をなす支持金具１８の水平部は、座板３又は足載板４の下面にビス止めされ、垂直部には貫穴１８ａが形成されている。ねじ穴プレート１９には、多数のねじ穴１９ａが上下に配置され、一側に上下方向のガイド溝１９ｂが形成されている。
【００１３】
また、図７及び図８に示すように、手回し可能なノブねじ２０のねじ軸が、スプリングワッシャ２１を介して回転止めプレート２２の貫穴２２ａに挿入され、これらが一体化されている。回転止めプレート２２は、一側の屈曲部がガイド溝１９ｂに係合し、上端が支持金具１８の水平部下面に当接して、使用状態で傾斜した脚柱１に対し、座板３及び足載板４が水平となるように、支持金具１８を所定角度に保持するものである。
【００１４】
この支持部では、回転止めプレート２２の貫穴２２ａから突出するノブねじ２０のねじ軸を、支持金具１８の貫穴１８ａを介してねじ穴プレート１９のいずれかのねじ穴１９ａにねじ込むことにより、座板３及び足載板４は、適宜の高さに固定され、使用状態において、水平に保持される。
【００１５】
また、図９に示すように、ノブねじ２０を少し緩めて、ガイド溝１９ｂから回転止めプレート２２の屈曲部が抜けるようにすると、回転止めプレート２２による支持金具１８の拘束が解除され、座板３又は足載板４は、自由に回動可能となり、図１０に示すように、ノブねじ２０をさらに緩めて、そのねじ軸がねじ穴１９ａから抜けるようにすると、支持金具１８が完全に解放されて、座板３及び足載板４を取り外すことができる。
【００１６】
次に、脚柱１とガード部材６の連結部においては、図１１乃至図１３に示すように、脚柱１にベースパーツ２３が固定され、ガード部材６の後端には、回転フレームパーツ２４が挿入されてリベットで固着されている。ベースパーツ２３の外周の一部には、ストッパ片２３ａが設けられ、回転フレームパーツ２４の円筒部内面に刻設された周溝２４ａの一部には、ストッパ壁２４ｂが設けられている。
【００１７】
回転フレームパーツ２４は、ベースパーツ２３の軸部にナイロンワッシャ２５を挟んで回動自在に嵌められ、ベースパーツ２３のねじ穴にナイロンワッシャ２６を挟んでねじ込んだビス２７により抜け止めされている。ビス２７は、コインで締め付け及び緩めが可能なものとされ、工具がなくても、ガード部材６を着脱することができる。ストッパ片２３ａは周溝２４ａに挿入され、ガード部材６の旋回に伴い、ストッパ片２３ａがストッパ壁２４ｂに当接して、ガード部材６の可動範囲が制限される。
【００１８】
そのほか、図１及び図２に示すように、ガード部材６の前枠部には樹脂製のパイプガード２８が嵌められ、パイプガード２８と座板３の間には、幼児のずり落ちを防止する安全ベルト２９が掛け渡されている。そして、パイプガード２８がテーブル５の前部下面に当接した状態で、ガード部材６によりテーブル５の前部が支持されて、使用状態でテーブル５が水平に保持される。
【００１９】
また、テーブル５の後部は、アーム部分の後端を繋ぐアルミパイプ製の軸棒３０を、背板２の後面に取り付けた背板金具３１の円筒部に緩衝用ゴムチューブを介して挿入することにより、背板２に回動自在に支持されている。背板金具３１は、手回し可能なノブねじ３２のねじ軸を、背板金具３１の貫穴を介し背板２のねじ穴にねじ込んで背板２に固定され、ノブねじ３２を緩めてねじ穴から抜くと、テーブル５を取り外すことができる。
【００２０】
上記のような幼児用椅子を使用する際には、図１及び図２に示すように、脚柱１と後脚７を前後に開いてロックし、安定して自立するようにした状態で、幼児を座板３に腰掛けさせ、足載板４に幼児の足を載せ、テーブル５を幼児の前方にセットすると、テーブル５を利用して、幼児に食事をさせたり、おもちゃで遊ばせたりすることができる。
【００２１】
また、図１４に示すように、幼児を大人と同じ食卓Ｄに向かわせる場合には、テーブル５を背板２の後方へ旋回させて跳ね除けておくと、テーブル５が邪魔になることがない。なお、この状態でも、ガード部材６はセットされているので、座板３からの幼児のずり落ちを防止することができる。
【００２２】
一方、この幼児用椅子を使用しないときには、図１５に示すように、テーブル５及びガード部材６を跳ね除け又は取り外し、脚柱１と後脚７の連結部のキャップ１７を押し込んで、ロックを解除した状態で、脚柱１と後脚７とを閉じ、ノブねじ２０を緩めて、座板３及び足載板４を下方へ回動させると、コンパクトに折り畳むことができるので、保管時に嵩張ることがない。
【００２３】
また、この幼児用椅子を大人が使用する際には、図２に示す状態から、座板３、テーブル５及びガード部材６を取り外し、図１６に示すように、足載板４を座板として利用すると、大人でもゆったりと腰掛けることができるので、この幼児用椅子は、通常の折畳椅子として、子供の成長後も長期間に亘って使用し続けることができる。
【図面の簡単な説明】
【００２４】
【図１】この発明に係る幼児用椅子の通常使用状態を示す後方斜視図
【図２】同上の縦断側面図
【図３】脚柱と後脚の連結部を示す分解斜視図
【図４】（ａ）エルボパーツを示す側面及び端面図、（ｂ）ロックリングを示す側面及び端面図、（ｃ）キャップとエルボパーツの係合状態を示す縦断面図
【図５】同上のロック状態を示す縦断正面図
【図６】同上のロック解除状態を示す縦断正面図
【図７】座板及び足載板の支持部を示す分解斜視図
【図８】同上の固定状態を示す横断平面図
【図９】同上の回動可能状態を示す横断平面図
【図１０】同上の取り外し可能状態を示す横断平面図
【図１１】脚柱とガード部材の連結部を示す分解斜視図
【図１２】同上の一部切欠側面図
【図１３】同上の横断平面図
【図１４】幼児用椅子のテーブルを跳ね除けた使用状態を示す側面図
【図１５】幼児用椅子の折畳状態を示す側面図
【図１６】幼児用椅子を大人用とした状態を示す側面図
【符号の説明】
【００２５】
１  脚柱
２  背板
３  座板
４  足載板
５  テーブル
６  ガード部材
７  後脚
８  ベースーパーツ
９  ロックリング
１０  スプリング
１１  爪
１２  エルボパーツ
１３  リングワッシャ
１４  スプリングワッシャ
１５  ビス
１６  切欠部
１７  キャップ
１８  支持金具
１８ａ  貫穴
１９  ねじ穴プレート
１９ａ  ねじ穴
１９ｂ  ガイド溝
２０  ノブねじ
２１  スプリングワッシャ
２２  回転止めプレート
２２ａ  貫穴
２３  ベースパーツ
２３ａ  ストッパ片
２４  回転フレームパーツ
２４ａ  周溝
２４ｂ  ストッパ壁
２５，２６  ナイロンワッシャ
２７  ビス
２８  パイプガード
２９  安全ベルト
３０  軸棒
３１  背板金具
３２  ノブねじ
【図１】
2006110157.tif 000003
【図２】
2006110157.tif 000004
【図３】
2006110157.tif 000005
【図４】
2006110157.tif 000006
【図５】
2006110157.tif 000007
【図６】
2006110157.tif 000008
【図７】
2006110157.tif 000009
【図８】
2006110157.tif 000010
【図９】
2006110157.tif 000011
【図１０】
2006110157.tif 000012
【図１１】
2006110157.tif 000013
【図１２】
2006110157.tif 000014
【図１３】
2006110157.tif 000015
【図１４】
2006110157.tif 000016
【図１５】
2006110157.tif 000017
【図１６】
2006110157.tif 000018